【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
白色発光ダイオード（ＷＬＥＤ）であって、
一次光を放射する発光ダイオード（ＬＥＤ）と、
光学的に該ＬＥＤに結合された、二次光を放射するための二次発光種であって、該二次光は、該一次光とは異なる波長を有する、二次発光種と、
該二次発光種と該ＬＥＤとの間に配置された複数の光学機能界面または光学的に修正された界面であって、該複数の光学機能界面または光学的に修正された界面は、それぞれ、該一次光に対して少なくとも部分的に透明であり、該複数の光学機能界面または光学的に修正された界面は、それぞれ、該二次光に対して少なくとも部分的に反射的である、少なくとも１つの光学機能界面と
を含む、ＷＬＥＤ。
【請求項２】
前記複数の光学機能界面のうちの少なくとも１つは、前記ＬＥＤから、該ＬＥＤの横方向長さに少なくとも等しい距離をおいて配置されている、請求項１に記載のＷＬＥＤ。
【請求項３】
前記複数の光学機能界面のうちの１つは、第１の材料の表面を含み、該第１の材料は、その屈折率が前記二次発光種内の前記二次光の前記光学機能界面における全反射を増加するように配置される、請求項１に記載のＷＬＥＤ。
【請求項４】
前記二次発光種は、前記一次光によって光学的に励起される場合、前記二次光を放射する蛍光体層であり、
第２の材料が前記ＬＥＤを少なくとも部分的に取り囲み、該第２の材料の屈折率が該ＬＥＤと該第２の材料との間の界面における該ＬＥＤ内での該一次光の全反射を減少し、
前記第１の材料は、該二次発光種と該第２の材料との間に配置されている、請求項３に記載のＷＬＥＤ。
【請求項５】
前記第１の材料の屈折率は、前記蛍光体層の屈折率よりも小さい、請求項４に記載のＷＬＥＤ。
【請求項６】
前記ＬＥＤは、ヘッダあるいはカップ上にＬＥＤダイを含み、
前記第２の材料は、ドーム型外面を含み、該ＬＥＤダイは、該第２の材料および該ヘッダあるいはカップによってカプセル化され、かつ、
前記第１の材料は該外面をキャップし、前記蛍光体層は該第１の材料をキャップする、請求項４に記載のＷＬＥＤ。
【請求項７】
前記第１の材料は、前記一次光の波長より大きい厚さを有するエアギャップである、請求項６に記載のＷＬＥＤ。
【請求項８】
前記第２の材料は、レジン、エポキシ、シリコンあるいはガラスである、請求項７に記載のＷＬＥＤ。
【請求項９】
前記ＬＥＤヘッダは装着具の上にあり、前記蛍光体層は、反射材料を介して該装着具に取り付けられている、請求項８に記載のＷＬＥＤ。
【請求項１０】
前記複数の光学機能界面のうちの１つは、第３の材料を含み、該第３の材料は、前記第２の材料および前記第１の材料のうちの少なくともいくつかの間に配置されている、請求項４に記載のＷＬＥＤ。
【請求項１１】
前記ＬＥＤは、ヘッダあるいはカップ上にＬＥＤダイを含み、
該ＬＥＤダイは、前記第２の材料および該ヘッダあるいはカップによってカプセル化されており、
前記第３の材料は、ドーム型外面を含み、
前記第１の材料は、該外面をキャップし、前記蛍光体層は該第１の材料をキャップし、
該ＬＥＤは、該ＬＥＤカップ内に配置され、該ＬＥＤの視野角は該第３の材料の該外面の全体を含み、該ＬＥＤカップは前記一次光を該蛍光体に向けて反射する、請求項１０に記載のＷＬＥＤ。
【請求項１２】
前記複数の光学機能界面または光学的に修正された界面は、それぞれ、前記ＬＥＤから離れた前記二次発光種によって放射された前記二次光を反射する、請求項１に記載のＷＬＥＤ。
【請求項１３】
前記二次発光種からの放射は、黄色光放射であり、前記ＬＥＤダイは、青色を発光するＩＩＩ族ベースのＬＥＤダイである、請求項１に記載のＷＬＥＤ。
【請求項１４】
前記ＷＬＥＤは、１００ｌｍ／Ｗの総発光効率および１００ｌｍ／Ｗより大きいパッケージング効率を有する白色光を放射する、請求項１に記載のＷＬＥＤ。
【請求項１５】
前記ＷＬＥＤは、少なくとも６０のカラーレンダリングインデックスを有する白色光を放射する、請求項１に記載のＷＬＥＤ。
【請求項１６】
白色発光ダイオード（ＷＬＥＤ）を製造する方法であって、
一次光を放射するための発光ダイオード（ＬＥＤ）を提供することと、
該一次光の波長とは異なる波長を有する二次光を放射するために、該ＬＥＤに光学的に結合された二次発光種を提供することと、
該二次発光種と該ＬＥＤとの間に複数の光学機能界面または光学的に修正された界面を提供することであって、該複数の光学機能界面または光学的に修正された界面は、それぞれ、該一次光に対して少なくとも部分的に透明であり、該複数の光学機能界面または光学的に修正された界面は、それぞれ、該二次光に対して少なくとも部分的に反射的である、ことと
を含む、製造方法。
【請求項１７】
白色光を放射する方法であって、
発光ダイオード（ＬＥＤ）から一次光を放射することと、
該ＬＥＤに光学的に結合された二次発光種から二次光を放射することであって、該二次光は該一次光の波長とは異なる波長を有する、ことと、
該二次発光種と該ＬＥＤとの間に配置された複数の光学機能界面または光学的に修正された界面を通って、該一次光を透過し、該複数の光学機能界面または光学的に修正された界面からの該二次光を反射することであって、該複数の光学機能界面または光学的に修正された界面は、それぞれ、該一次光に対して少なくとも部分的に透明であり、該複数の光学機能界面または光学的に修正された界面は、それぞれ、該二次光に対して少なくとも部分的に反射的である、ことと
を含む、方法。
【請求項１８】
前記複数の光学機能界面のうちの少なくとも１つは、前記ＬＥＤから、該ＬＥＤの横方向長さに少なくとも等しい距離をおいて配置されている、請求項１６に記載の方法。
【請求項１９】
前記複数の光学機能界面のうちの１つは、第１の材料の表面を含み、該第１の材料は、その屈折率が前記二次発光種内の前記二次光の前記光学機能界面における全反射を増加するように配置される、請求項１６に記載の方法。
【請求項２０】
前記二次発光種は、前記一次光によって光学的に励起される場合、前記二次光を放射する蛍光体層であり、
第２の材料が前記ＬＥＤを少なくとも部分的に取り囲み、該第２の材料の屈折率が該ＬＥＤと該第２の材料との間の界面における該ＬＥＤ内での該一次光の全反射を減少し、
前記第１の材料は、該二次発光種と該第２の材料との間に配置されている、請求項１９に記載の方法。
【請求項２１】
前記第１の材料の屈折率は、前記蛍光体層の屈折率よりも小さい、請求項２０に記載の方法。
【請求項２２】
前記ＬＥＤは、ヘッダあるいはカップ上にＬＥＤダイを含み、
前記第２の材料は、ドーム型外面を含み、該ＬＥＤダイは、該第２の材料および該ヘッダあるいはカップによってカプセル化され、かつ、
前記第１の材料は該外面をキャップし、前記蛍光体層は該第１の材料をキャップする、請求項２０に記載の方法。
【請求項２３】
前記第１の材料は、前記一次光の波長より大きい厚さを有するエアギャップである、請求項２２に記載の方法。
【請求項２４】
前記第２の材料は、レジン、エポキシ、シリコンあるいはガラスである、請求項２３に記載の方法。
【請求項２５】
前記ＬＥＤヘッダは装着具の上にあり、前記蛍光体層は、反射材料を介して該装着具に取り付けられている、請求項２４に記載の方法。
【請求項２６】
前記複数の光学機能界面のうちの１つは、第３の材料を含み、該第３の材料は、前記第２の材料および前記第１の材料のうちの少なくともいくつかの間に配置されている、請求項２０に記載の方法。
【請求項２７】
前記ＬＥＤは、ヘッダあるいはカップ上にＬＥＤダイを含み、
該ＬＥＤダイは、前記第２の材料および該ヘッダあるいはカップによってカプセル化されており、
前記第３の材料は、ドーム型外面を含み、
前記第１の材料は、該外面をキャップし、前記蛍光体層は該第１の材料をキャップし、
該ＬＥＤは、該ＬＥＤカップ内に配置され、該ＬＥＤの視野角は該第３の材料の該外面の全体を含み、該ＬＥＤカップは前記一次光を該蛍光体に向けて反射する、請求項２６に記載の方法。
【請求項２８】
前記複数の光学機能界面は、前記ＬＥＤから離れた前記二次発光種によって放射された前記二次光を反射する、請求項１６に記載の方法。
【請求項２９】
前記二次発光種からの放射は、黄色光放射であり、前記ＬＥＤダイは、青色を発光するＩＩＩ族ベースのＬＥＤダイである、請求項１６に記載の方法。
【手続補正２】
【補正対象書類名】明細書
【補正対象項目名】００３１
【補正方法】変更
【補正の内容】
【００３１】
ＬＥＤはＬＥＤダイであり得、二次発光種は蛍光体層であり得、方法は、ＬＥＤダイを第１の材料およびヘッダあるいはＬＥＤカップでカプセル化することをさらに含み得、第１の材料はドーム型外面を含み、第１の材料は、第１の材料の屈折率が該一次光の該ＬＥＤと該第１の材料との間の界面における該ＬＥＤ内の全反射を減少するように配置され、第１の材料は、外面を第２の材料を含む１つ以上の光学機能界面でキャップし、該第２の材料は、蛍光体層の屈折率よりも小さい屈折率を有し、該１つ以上の光学機能界面は、該材料から離れた二次光を反射する。
例えば、本発明は以下の項目を提供する。
（項目１）
白色発光ダイオード（ＷＬＥＤ）であって、
一次光を放射する発光ダイオード（ＬＥＤ）と、
光学的に該ＬＥＤに結合された、二次光を放射するための二次発光種であって、該二次光は、該一次光とは異なる波長を有する、二次発光種と、
該二次発光種と該ＬＥＤとの間の少なくとも１つの光学機能界面であって、該光学機能界面は、該一次光に対して少なくとも部分的に透明であり、該光学機能界面は、該二次光に対して少なくとも部分的に反射的である、少なくとも１つの光学機能界面と
を含む、ＷＬＥＤ。
（項目２）
上記光学機能界面は、上記ＬＥＤから、該ＬＥＤの横方向長さに少なくとも等しい距離をおいて配置されている、項目１に記載のＷＬＥＤ。
（項目３）
上記光学機能界面は、第１の材料を含む、項目１に記載のＷＬＥＤ。
（項目４）
上記光学機能界面は、上記第１の材料の表面を含み、該第１の材料は、その屈折率が上記二次発光種内の上記二次光の上記光学機能界面における全反射を増加する、項目３に記載のＷＬＥＤ。
（項目５）
上記二次発光種は、上記一次光によって光学的に励起される場合、上記二次光を放射する蛍光体層であり、
第２の材料が上記ＬＥＤを少なくとも部分的に取り囲み、該第２の材料の屈折率が該ＬＥＤと該第２の材料との間の界面における該ＬＥＤ内での該一次光の全反射を減少し、
上記第１の材料は、該二次発光種と該第２の材料との間に配置されている、項目３に記載のＷＬＥＤ。
（項目６）
上記第１の材料の屈折率は、上記蛍光体層の屈折率よりも小さい、項目５に記載のＷＬＥＤ。
（項目７）
上記ＬＥＤは、ヘッダあるいはカップ上にＬＥＤダイを含み、
上記第２の材料は、ドーム型外面を含み、該ＬＥＤダイは、該第２の材料および該ヘッダあるいはカップによってカプセル化され、かつ、
上記第１の材料は該外面をキャップし、上記蛍光体層は該第１の材料をキャップする、項目５に記載のＷＬＥＤ。
（項目８）
上記第１の材料は、上記一次光の波長より大きい厚さを有するエアギャップである、項目７に記載のＷＬＥＤ。
（項目９）
上記第２の材料は、レジン、エポキシ、シリコンあるいはガラスである、項目８に記載のＷＬＥＤ。
（項目１０）
上記ＬＥＤヘッダは装着具の上にあり、上記蛍光体層は、反射材料を介して該装着具に取り付けられている、項目９に記載のＷＬＥＤ。
（項目１１）
２つの光学機能界面をさらに含み、該光学機能界面のうちの１つは、第３の材料を含み、該第３の材料は、上記第２の材料および上記第１の材料のうちの少なくともいくつかの間に配置されている、項目５に記載のＷＬＥＤ。
（項目１２）
上記ＬＥＤは、ヘッダあるいはカップ上にＬＥＤダイを含み、
該ＬＥＤダイは、上記第２の材料および該ヘッダあるいはカップによってカプセル化されており、
上記第３の材料は、ドーム型外面を含み、
上記第１の材料は、該外面をキャップし、上記蛍光体層は該第１の材料をキャップし、
該ＬＥＤは、該ＬＥＤカップ内に配置され、該ＬＥＤの視野角は該第３の材料の該外面の全体を含み、該ＬＥＤカップは上記一次光を該蛍光体に向けて反射する、項目１１に記載のＷＬＥＤ。
（項目１３）
２つ以上の光学機能界面をさらに含む、項目１に記載のＷＬＥＤ。
（項目１４）
上記光学機能界面は、上記ＬＥＤから離れた上記二次発光種によって放射された上記二次光を反射する、項目１に記載のＷＬＥＤ。
（項目１５）
上記蛍光体層からの放射は、黄色光放射であり、上記ＬＥＤダイは、青色を発光するＩＩＩ族ベースのＬＥＤダイである、項目１に記載のＷＬＥＤ。
（項目１６）
上記ＷＬＥＤは、１００ｌｍ／Ｗの総発光効率および１００ｌｍ／Ｗより大きいパッケージング効率を有する白色光を放射する、項目１に記載のＷＬＥＤ。
（項目１７）
上記ＷＬＥＤは、少なくとも６０のカラーレンダリングインデックスを有する白色光を放射する、項目１に記載のＷＬＥＤ。
（項目１８）
白色発光ダイオード（ＷＬＥＤ）を製造する方法であって、
一次光を放射するための発光ダイオード（ＬＥＤ）を提供することと、
該一次光の波長とは異なる波長を有する二次光を放射するために、該ＬＥＤに光学的に結合された二次発光種を提供することと、
該二次発光種と該ＬＥＤとの間に少なくとも１つの光学機能界面を提供することであって、該光学機能界面は、該一次光に対して少なくとも部分的に透明であり、該光学機能界面は、該二次光に対して少なくとも部分的に反射的である、ことと
を含む、製造方法。
（項目１９）
白色光を放射する方法であって、
発光ダイオード（ＬＥＤ）から一次光を放射することと、
該ＬＥＤに光学的に結合された二次発光種から二次光を放射することであって、該二次光は該一次光の波長とは異なる波長を有する、ことと、
該二次発光種と該ＬＥＤとの間に配置された少なくとも１つの光学機能界面を通って、該一次光を透過し、該少なくとも１つの光学機能界面からの該二次光を反射することであって、該光学機能界面は、該一次光に対して少なくとも部分的に透明であり、該光学機能界面は、該二次光に対して少なくとも部分的に反射的である、ことと
を含む、方法。